(57)【要約】【課題】上下方向反転させることにより装飾的変化をもたらすようにした。【解決手段】多数の細長部品を結合部材を介して長尺状に連結させた装飾材であって、該装飾材における各細長部品は、長さ方向における片側半分の色彩若しくは模様を残り半分の色彩若しくは模様と異ならしめてなるとともに、細長部品の各結合部材間には、上記細長部品の長さの略半分の長さであって、細長部品の周面を覆う管状部材を、細長部品に沿って自重により長さ方向にスライド自在にそれぞれ遊嵌させてなる。これにより細長部品の片側半分に施したところの色彩若しくは模様と異なった色彩若しくは模様が一斉に表現される結果、従来品には見ることのできない独特の装飾的美観を呈することができる。【選択図】図３
0003103483.tif 000002
【実用新案登録請求の範囲】
【請求項１】
多数の細長部品を結合部材を介して長尺状に連結させた装飾材であって、該装飾材における各細長部品は、長さ方向における片側半分の色彩若しくは模様を残り半分の色彩若しくは模様と異ならしめてなるとともに、細長部品の各結合部材間には、上記細長部品の長さの略半分の長さであって、細長部品の周面を覆う管状部材を、細長部品に沿って自重により長さ方向にスライド自在にそれぞれ遊嵌させてなるアクセサリー。
【請求項２】
細長部品は少なくとも複数個の装飾部品を連結したものであるところの請求項１に記載のアクセサリー。
【請求項３】
細長部品は、その長さ方向半分までが複数個の装飾部品を連結したものと、残り半分が棒状体または管状体をもって構成されているところの請求項１に記載のアクセサリー。
【請求項４】
細長部品に施した長さ方向半分の色彩若しくは模様が、長尺状に多数連結した各細長部品の一方向同一側に統一して施されているものであるところの請求項１に記載のアクセサリー。
【請求項５】
各結合部材間に遊嵌された各管状部材の外周面には統一的な色彩若しくは模様が施されているところの請求項１に記載のアクセサリー。
【請求項６】
長尺状に連結させた装飾材の各両端部には装飾チェーンが取り付けられるとともに、両端側の各装飾チェーンを束ねた状態において、該装飾チェーンの長さ方向にスライド可能であって、束ねた装飾チェーンにおける任意の長さ位置にて係止可能なスライド金具が取り付けられているところの請求項１〜５の何れか１に記載のアクセサリー。
【考案の詳細な説明】
【技術分野】
【０００１】
本考案は、ネックレス等の装飾用に用いられるアクセサリーに関し、用い方如何により装飾的変化をもたらすようにすることを目的とする。
【背景技術】
【０００２】
ネックレス等の装飾用アクセサリーは、一般的には例えば中空の球体など多数の部品を１本の細い柔軟なワイヤーなど糸状の材料に順次連通させて構成するとともに、その両端部を結合させるなどによって全体を環状に構成して用いることが多い。
【特許文献１】登録実用新案第３０２６７８９号
【考案の開示】
【考案が解決しようとする課題】
【０００３】
しかしながら既存のものは、その何れもが多数の部品を連通させた環状のアクセサリーとして、環状体としての撓み変化はあるものの、どのように使用しても各部品の形状・模様・色彩等自体には変化がみられないために、装飾的美観には限界があった。
【課題を解決するための手段】
【０００４】
そこで本考案は装飾用アクセサリーとして、その用い方如何によっては装飾に変化をもたらし、装飾的美観をより一層向上させることができるアクセサリーを開発したものであって、具体的には、請求項１の考案は、多数の細長部品を結合部材を介して長尺状に連結させた装飾材であって、該装飾材における各細長部品は、長さ方向における片側半分の色彩若しくは模様を残り半分の色彩若しくは模様と異ならしめてなるとともに、細長部品の各結合部材間には、上記細長部品の長さの略半分の長さであって、細長部品の周面を覆う管状部材を、細長部品に沿って自重により長さ方向にスライド自在にそれぞれ遊嵌させてなるアクセサリーに関する。
【０００５】
また請求項２の考案は、細長部品が少なくとも複数個の装飾部品を連結したものであるところの請求項１に記載のアクセサリーに関する。  さらに請求項３の考案は、細長部品は、その長さ方向半分までが複数個の装飾部品を連結したものと、残り半分が棒状体または管状体をもって構成されているところの請求項１に記載のアクセサリーに関する。  さらに請求項４の考案は、細長部品に施した長さ方向半分の色彩若しくは模様が、長尺状に多数連結した各細長部品の一方向同一側に統一して施されているものであるところの請求項１に記載のアクセサリーに関する。
【０００６】
さらに請求項５の考案は、各結合部材間に遊嵌された各管状部材の外周面には統一的な色彩若しくは模様が施されているところの請求項１に記載のアクセサリーに関する。  さらに請求項６の考案は、長尺状に連結させた装飾材の各両端部には装飾チェーンが取り付けられるとともに、両端側の各装飾チェーンを束ねた状態において、該装飾チェーンの長さ方向にスライド可能であって、束ねた装飾チェーンにおける任意の長さ位置にて係止可能なスライド金具が取り付けられているところの請求項１〜５の何れか１に記載のアクセサリーに関する。
【考案の効果】
【０００７】
上記の構成において、アクセサリーを環状に繋いで首などに装着するとともに、このアクセサリーを上下反転すると、各細長部品の外周面に有するところの、細長部品の長さの略半分の長さの管状部材が結合部材間において自重により細長部品に沿って下方に摺動落下するため、細長部品の片側半分に施したところの色彩若しくは模様と異なった色彩若しくは模様が一斉に表現される結果、従来品には見ることのできない独特の装飾的美観を呈することができる。
【０００８】
また、両端側の各装飾チェーンを束ねた状態において、該装飾チェーンの長さ方向にスライド可能であって、束ねた装飾チェーンにおける任意の長さ位置にて係止可能なスライド金具が取り付けられている場合においては、束ねた装飾チェーン側を背中側に垂らして通常のネックレスとして使用し、あるいは胸側に垂らして所謂Ｙネックタイプとして使用することもでき、また任意の長さ位置にて係止可能なスライド金具が取り付けられているので全体の環状の大きさを任意に加減して使用することもできる。
【考案を実施するための最良の形態】
【０００９】
以下において本考案の具体的な内容を図１〜３に示す実施例をもとに説明すると、図１において１は本発明に係るアクセサリーの一例としてのＹネック型ネックレスをあらわしている。  このＹネック型ネックレス１は、多数の細長部品２を、結合部材３を介して長尺状に連結させた装飾材としてのネックレスを構成している。
【００１０】
またこのネックレス１は、両端部に装飾チェーン４ａ・４ｂが取り付けられるとともに、両端側の各装飾チェーン４ａ・４ｂを束ねた状態において、該装飾チェーン４ａ・４ｂの長さ方向にスライド可能であって、束ねた装飾チェーン４ａ・４ｂにおける任意の長さ位置にて係止可能なスライド金具５が取り付けられている。
【００１１】
さらに、上記した装飾材における各細長部品２は、長さ方向における片側半分の色彩若しくは模様２ａを残り半分の色彩若しくは模様２ｂと異ならしめてなるとともに、細長部品２の各結合部材３・３間には、上記細長部品２の長さの略半分の長さであって、細長部品２の周面を覆う管状部材２ｃを、細長部品２に沿って自重により長さ方向にスライド自在にそれぞれ遊嵌させてなる。
【００１２】
すなわち、各細長部品２は少なくとも複数個の装飾部品を連結したものであり、具体例としては、その細長部品２の長さ方向半分までが複数個の装飾部品を連結して２ｂを構成したもの（図３参照）と、残り半分が棒状体または管状体をもって２ａを構成したもの（図２参照）とによって構成されている。
【００１３】
さらに上記した細長部品２に施した長さ方向半分の色彩若しくは模様２ａ又は２ｂについては、長尺状に多数連結した各細長部品２の一方向同一側に統一して施されるのが好ましく、また各結合部材３・３間に遊嵌された各管状部材２ｃの外周面には全管状部材２ｃにわたって統一的な色彩若しくは模様が施されているのが好ましい。
【００１４】
なお図２は、図１のネックレス１における部分拡大図であり、また図３は図１のネックレス１を上下反転して各管状部材２ｃを細長部品２に沿って自重により落下させた状態の部分拡大図をあらわしている。
【００１５】
なお、上記の実施例においては、アクセサリーとしてのネックレスをＹネックタイプとして用いる場合について説明したが、このほかにも通常タイプのネックレスとして用いることも可能である。
【図面の簡単な説明】
【００１６】
【図１】本考案の実施例であるアクセサリーの一例としてのＹネック型ネックレスの正面図。
【図２】図１のネックレス１における部分拡大図。
【図３】図１のネックレス１を上下反転して各管状部材を細長部品に沿って自重により落下させた状態の部分拡大図。
【符号の説明】
【００１７】
１        ネックレス
２        細長部品
２ａ      色彩若しくは模様
２ｂ      色彩若しくは模様
２ｃ      管状部材
３        結合部材
４ａ      装飾チェーン
４ｂ      装飾チェーン
５        スライド金具
【図１】
0003103483.tif 000003
【図２】
0003103483.tif 000004
【図３】
0003103483.tif 000005